(57)【要約】【課題】鼻腔に挿入し易く、鼻腔への不快感を伴なう刺激が発生しないように加熱することにより、利便性が高く、鼻炎治療効果にも優れる鼻腔用器具を提供する。【解決手段】鼻腔に挿入可能な、少なくとも１つの管状部材と、前記各管状部材の内部に設けられ、少なくとも１つの赤色発光ダイオードチップを有する発光素子と、該管状部材を加熱するための加熱部材を有する発光加熱器と、制御スイッチと前記発光加熱器に給電する電源部材を備えるコントローラとを有することを特徴とする。【選択図】図１
0003138513.tif 000002
【実用新案登録請求の範囲】
【請求項１】
鼻腔に挿入可能な、少なくとも１つの管状部材と、
前記各管状部材の内部に設けられ、少なくとも１つの赤色発光ダイオードチップを有する発光素子と、該管状部材を加熱するための加熱部材を有する発光加熱器と、
制御スイッチと前記発光加熱器に給電する電源部材を備えるコントローラとを有することを特徴とする鼻腔用器具。
【請求項２】
前記加熱部材は、少なくとも１つの赤外線発光ダイオードチップを有する赤外線発光ダイオードであることを特徴とする請求項１に記載の鼻腔用器具。
【請求項３】
前記２つの管状部材を備え、該２つの管状部材を連結するために、一方の管状部材の外周壁に掛止溝が形成され、他方の管状部材における、該掛止溝と対応する位置に、掛止ブロックが設けられることを特徴とする請求項１に記載の鼻腔用器具。
【請求項４】
前記発光加熱器は、発光ダイオードであり、発光素子である前記赤色発光ダイオードチップは、管状部材の中心軸上に位置すると共に、前記コントローラにより制御され、
前記加熱部材は、該コントローラにより制御される赤外線発光ダイオードチップであり、該赤外線発光ダイオードチップは、中心軸から離れた、管状部材の内周壁の近傍における、管状部材の加熱に最適な位置に設けられることを特徴とする請求項１に記載の鼻腔用器具。
【請求項５】
前記赤色発光ダイオードチップは、鼻炎治療に好適な波長を有するノンコヒーレントナローバンド赤色光線を放射し、前記赤外線発光ダイオードチップは、管状部材を加熱することに好適な波長を有するノンコヒーレントナローバンド赤外線を放射することを特徴とする請求項４に記載の鼻腔用器具。
【請求項６】
前記赤色発光ダイオードチップと赤外線発光ダイオードチップは夫々、前記管状部材の中心軸上において直角に設置され、該赤外線発光ダイオードチップが設置される高さと、前記赤色発光ダイオードチップの設置される高さとは異なることを特徴とする請求項４に記載の鼻腔用器具。
【請求項７】
前記発光ダイオードが更に、赤色発光ダイオードチップを設置するための第１リード部と、
前記第１リード部から所定の間隙をおいて前記赤外線発光ダイオードチップを設置するための第２リード部とを有することを特徴とする請求項４に記載の鼻腔用器具。
【請求項８】
前記第１リード部が更に、赤色発光ダイオードチップを収容するカップ部材を有することを特徴とする請求項７に記載の鼻腔用器具。
【請求項９】
前記第２リード部が更に、赤外線発光ダイオードチップを設置するための平面部を有すると共に、該平面部が前記カップ部材より高く位置することを特徴とする請求項８に記載の鼻腔用器具。
【請求項１０】
更に、前記管状部材の内部に設けられると共に、前記発光ダイオードを支持するための支持チューブを備えることを特徴とする請求項４に記載の鼻腔用器具。
【請求項１１】
前記支持チューブが不透明な材料からなり、前記管状部材が透明材料からなることを特徴とする請求項１０に記載の鼻腔用器具。
【請求項１２】
更に、前記支持チューブの末端に、大径の底座が形成されることを特徴とする請求項１０に記載の鼻腔用器具。
【請求項１３】
前記支持チューブの末端に、前記管状部材に着脱可能に嵌め込まれる大径の底部が設けられることを特徴とする請求項１２に記載の鼻腔用器具。
【請求項１４】
前記コントローラが更に、発光ダイオードへの給電と制御を行うためのリード線を有することを特徴とする請求項１０に記載の鼻腔用器具。
【請求項１５】
前記リード線が支持チューブの内部を貫通することを特徴とする請求項１４に記載の鼻腔用器具。
【請求項１６】
前記赤色発光ダイオードチップが放射する赤色光線の波長は６３０〜６６０ナノメートルであり、前記赤外線ダイオードチップが放射する赤外線の波長は９２０−９６０ナノメートルであることを特徴とする請求項５に記載の鼻腔用器具。
【請求項１７】
前記赤色発光ダイオードチップが放射する赤色光線の波長は６５２ナノメートルであり、該赤外線ダイオードチップが放射する赤外線の波長は９４０ナノメートルであることを特徴とする請求項５に記載の鼻腔用器具。
【請求項１８】
前記２つの管状部材を備え、前記赤色発光ダイオードチップが鼻炎治療に好適なノンコヒーレントナローバンド赤色光線を放射し、前記赤外線発光ダイオードチップが管状部材の加熱に好適なノンコヒーレントナローバンド赤外線を放射することを特徴とする請求項４に記載の鼻腔用器具。
【請求項１９】
前記赤色発光ダイオードチップと赤外線発光ダイオードチップは夫々、管状部材の中心軸と直角に配置され、該赤外線発光ダイオードチップが設置される高さと、前記赤色発光ダイオードチップの設置される高さとは異なることを特徴とする請求項１８に記載の鼻腔用器具。
【請求項２０】
前記発光ダイオードが更に、赤色発光ダイオードチップを設置するための第１リード部と、
前記第１リード部から所定の間隙をおいて形成されると共に、赤外線発光ダイオードチップを設置するための第２リード部とを有することを特徴とする請求項１８に記載の鼻腔用器具。
【請求項２１】
前記第１リード部が更に、赤色発光ダイオードチップを収容するカップ部材を有することを特徴とする請求項２０に記載の鼻腔用器具。
【請求項２２】
前記第２リード部が更に、赤外線発光ダイオードチップを設置するための平面部を有し、該平面部は、前記カップ部材より高く位置することを特徴とする請求項２１に記載の鼻腔用器具。
【請求項２３】
前記赤色発光ダイオードチップが放射する赤色光線の波長は６３０〜６６０ナノメートルであり、前記赤外線ダイオードチップが放射する赤外線の波長は９２０〜９６０ナノメートルであることを特徴とする請求項１８に記載の鼻腔用器具。
【請求項２４】
さらに、前記２つの管状部材に夫々着脱可能に取り付けられ、鼻腔に挿入した２つの管状部材が鼻中隔を挟むことにより、該２つの管状部材を鼻腔に固定させる固定部材を備えることを特徴とする請求項１８に記載の鼻腔用器具。
【請求項２５】
前記第１リード部及び第２リード部が夫々カップ部材を有しない細いリードからなることを特徴とする請求項７又は請求項２０に記載の鼻腔用器具。
【請求項２６】
前記第１リード部が更に、カップ部材を有し、該カップ部材の上面に、前記赤色発光ダイオードチップを固着するための平面部が形成されると共に、前記第２リード部が更に、前記赤外線発光ダイオードチップを固着するための平面部を有し、該赤色発光ダイオードチップを固着するための平面部と赤外線発光ダイオードチップを固着するための平面部とが同じ高さに位置することを特徴とする請求項７又は請求項２０に記載の鼻腔用器具。
【請求項２７】
前記２つの管状部材を備え、前記発光加熱器は発光ダイオードであり、前記発光部材の赤色発光ダイオードチップは、コントローラに制御されるものであり、一方、前記加熱部材は、コントローラに制御される赤外線発光ダイオードチップであり、
前記管状部材の内部に設けられ、発光ダイオードを支持するための支持チューブと、
前記発光ダイオードに設けられ、赤色発光ダイオードチップを設置するための第１リード部と、
前記第１リード部から所定の間隙をおいて形成され、前記赤外線発光ダイオードチップを設置するための第２リード部と、
前記赤色発光ダイオードと赤外線発光ダイオードとを電気接続するワイヤとを有することを特徴とする請求項１に記載の鼻腔用器具。
【請求項２８】
さらに、前記２つの管状部材に着脱可能に取り付けられ、鼻腔に挿入した２つの管状部材が鼻中隔を挟むことにより、該２つの管状部材を鼻腔に固定させる固定部材を備えることを特徴とする請求項２７に記載の鼻腔用器具。
【請求項２９】
前記固定部材が夫々管状部材に嵌設される２つの固定スリーブと、該２つの固定スリーブを連結するための連結部材とを備えることを特徴とする請求項２８に記載の鼻腔用器具。
【請求項３０】
前記２つの固定スリーブは、管状部材の先端が互いに接近するように傾斜する形状であることを特徴とする請求項２９に記載の鼻腔用器具。
【請求項３１】
前記２つの固定スリーブは、管状部材を互いに平行にする形状であることを特徴とする請求項２９に記載の鼻腔用器具。
【考案の詳細な説明】
【技術分野】
【０００１】
本考案は、特に鼻腔に使用され、鼻炎治療などのための鼻腔用器具に関するものである。
【背景技術】
【０００２】
従来では通常、鼻炎を治療するための手段として、例えば特許文献１に示すような、特に波長が６６０ナノメートルの赤色光線を放射する複数の赤色発光ダイオードと、該複数の赤色発光ダイオードを収容する管状部材とを備えた、鼻炎治療効果を有する鼻腔用器具などが用いられていた。
【特許文献１】米国特許第５６８３４３６号明細書
【考案の開示】
【考案が解決しようとする課題】
【０００３】
しかしながら、前記従来の鼻腔用器具は、複数の赤色発光ダイオードが１つの平面に併設されていることから、管状部材の径が非常に大きくなってしまうので、使用時に、該大径の管状部材を鼻腔に挿入し難く、更に、使用前の管状部材の表面温度は、室温とほぼ同じ２６度であり、それを暖めて表面温度を人体の体温付近、即ち３７度位まで上昇させるのに１分間か２分間程度かかってしまうので、その間、冷たい管状部材が鼻腔の内部を刺激し、鼻炎の病状を更に悪化させてしまう恐れがある。
【０００４】
そこで、案出されたのが本考案であって、前記従来の課題に鑑み、鼻腔に挿入し易い管状部材と、管状部材を素早く加熱することにより、鼻腔への刺激を防止する加熱部材とを備えた鼻腔用器具を提供することを目的としている。
【課題を解決するための手段】
【０００５】
本願の請求項１の考案は、鼻腔に挿入可能な、少なくとも１つの管状部材と、
前記各管状部材の内部に設けられ、少なくとも１つの赤色発光ダイオードチップを有する発光素子と、該管状部材を加熱するための加熱部材を有する発光加熱器と、
制御スイッチと前記発光加熱器に給電する電源部材を備えるコントローラとを有することを特徴とする鼻腔用器具、を提供する。
【０００６】
本願の請求項２の考案は、前記加熱部材は、少なくとも１つの赤外線発光ダイオードチップを有する赤外線発光ダイオードであることを特徴とする請求項１に記載の鼻腔用器具、を提供する。
【０００７】
本願の請求項３の考案は、前記２つの管状部材を備え、該２つの管状部材を連結するために、一方の管状部材の外周壁に掛止溝が形成され、他方の管状部材における、該掛止溝と対応する位置に、掛止ブロックが設けられることを特徴とする請求項１に記載の鼻腔用器具、を提供する。
【０００８】
本願の請求項４の考案は、前記発光加熱器は、発光ダイオードであり、発光素子である前記赤色発光ダイオードチップは、管状部材の中心軸上に位置すると共に、前記コントローラにより制御され、
前記加熱部材は、該コントローラにより制御される赤外線発光ダイオードチップであり、該赤外線発光ダイオードチップは、中心軸から離れた、管状部材の内周壁の近傍における、管状部材の加熱に最適な位置に設けられることを特徴とする請求項１に記載の鼻腔用器具、を提供する。
【０００９】
本願の請求項５の考案は、前記赤色発光ダイオードチップは、鼻炎治療に好適な波長を有するノンコヒーレントナローバンド赤色光線を放射し、前記赤外線発光ダイオードチップは、管状部材を加熱することに好適な波長を有するノンコヒーレントナローバンド赤外線を放射することを特徴とする請求項４に記載の鼻腔用器具、を提供する。
【００１０】
本願の請求項６の考案は、前記赤色発光ダイオードチップと赤外線発光ダイオードチップは夫々、前記管状部材の中心軸上において直角に設置され、該赤外線発光ダイオードチップが設置される高さと、前記赤色発光ダイオードチップの設置される高さとは異なることを特徴とする請求項４に記載の鼻腔用器具、を提供する。
【００１１】
本願の請求項７の考案は、前記発光ダイオードが更に、赤色発光ダイオードチップを設置するための第１リード部と、
前記第１リード部から所定の間隙をおいて前記赤外線発光ダイオードチップを設置するための第２リード部とを有することを特徴とする請求項４に記載の鼻腔用器具、を提供する。
【００１２】
本願の請求項８の考案は、前記第１リード部が更に、赤色発光ダイオードチップを収容するカップ部材を有することを特徴とする請求項７に記載の鼻腔用器具、を提供する。
【００１３】
本願の請求項９の考案は、前記第２リード部が更に、赤外線発光ダイオードチップを設置するための平面部を有すると共に、該平面部が前記カップ部材より高く位置することを特徴とする請求項８に記載の鼻腔用器具、を提供する。
【００１４】
本願の請求項１０の考案は、更に、前記管状部材の内部に設けられると共に、前記発光ダイオードを支持するための支持チューブを備えることを特徴とする請求項４に記載の鼻腔用器具、を提供する。
【００１５】
本願の請求項１１の考案は、前記支持チューブが不透明な材料からなり、前記管状部材が透明材料からなることを特徴とする請求項１０に記載の鼻腔用器具、を提供する。
【００１６】
本願の請求項１２の考案は、更に、前記支持チューブの末端に、大径の底座が形成されることを特徴とする請求項１０に記載の鼻腔用器具、を提供する。
【００１７】
本願の請求項１３の考案は、前記支持チューブの末端に、前記管状部材に着脱可能に嵌め込まれる大径の底部が設けられることを特徴とする請求項１２に記載の鼻腔用器具、を提供する。
【００１８】
本願の請求項１４の考案は、前記コントローラが更に、発光ダイオードへの給電と制御を行うためのリード線を有することを特徴とする請求項１０に記載の鼻腔用器具、を提供する。
【００１９】
本願の請求項１５の考案は、前記リード線が支持チューブの内部を貫通することを特徴とする請求項１４に記載の鼻腔用器具、を提供する。
【００２０】
本願の請求項１６の考案は、前記赤色発光ダイオードチップが放射する赤色光線の波長は６３０〜６６０ナノメートルであり、前記赤外線ダイオードチップが放射する赤外線の波長は９２０−９６０ナノメートルであることを特徴とする請求項５に記載の鼻腔用器具、を提供する。
【００２１】
本願の請求項１７の考案は、前記赤色発光ダイオードチップが放射する赤色光線の波長は６５２ナノメートルであり、該赤外線ダイオードチップが放射する赤外線の波長は９４０ナノメートルであることを特徴とする請求項５に記載の鼻腔用器具、を提供する。
【００２２】
本願の請求項１８の考案は、前記２つの管状部材を備え、前記赤色発光ダイオードチップが鼻炎治療に好適なノンコヒーレントナローバンド赤色光線を放射し、前記赤外線発光ダイオードチップが管状部材の加熱に好適なノンコヒーレントナローバンド赤外線を放射することを特徴とする請求項４に記載の鼻腔用器具、を提供する。
【００２３】
本願の請求項１９の考案は、前記赤色発光ダイオードチップと赤外線発光ダイオードチップは夫々、管状部材の中心軸と直角に配置され、該赤外線発光ダイオードチップが設置される高さと、前記赤色発光ダイオードチップの設置される高さとは異なることを特徴とする請求項１８に記載の鼻腔用器具、を提供する。
【００２４】
本願の請求項２０の考案は、前記発光ダイオードが更に、赤色発光ダイオードチップを設置するための第１リード部と、
前記第１リード部から所定の間隙をおいて形成されると共に、赤外線発光ダイオードチップを設置するための第２リード部とを有することを特徴とする請求項１８に記載の鼻腔用器具、を提供する。
【００２５】
本願の請求項２１の考案は、前記第１リード部が更に、赤色発光ダイオードチップを収容するカップ部材を有することを特徴とする請求項２０に記載の鼻腔用器具、を提供する。
【００２６】
本願の請求項２２の考案は、前記第２リード部が更に、赤外線発光ダイオードチップを設置するための平面部を有し、該平面部は、前記カップ部材より高く位置することを特徴とする請求項２１に記載の鼻腔用器具、を提供する。
【００２７】
本願の請求項２３の考案は、前記赤色発光ダイオードチップが放射する赤色光線の波長は６３０〜６６０ナノメートルであり、前記赤外線ダイオードチップが放射する赤外線の波長は９２０〜９６０ナノメートルであることを特徴とする請求項１８に記載の鼻腔用器具、を提供する。
【００２８】
本願の請求項２４の考案は、さらに、前記２つの管状部材に夫々着脱可能に取り付けられ、鼻腔に挿入した２つの管状部材が鼻中隔を挟むことにより、該２つの管状部材を鼻腔に固定させる固定部材を備えることを特徴とする請求項１８に記載の鼻腔用器具、を提供する。
【００２９】
本願の請求項２５の考案は、前記第１リード部及び第２リード部が夫々カップ部材を有しない細いリードからなることを特徴とする請求項７又は請求項２０に記載の鼻腔用器具、を提供する。
【００３０】
本願の請求項２６の考案は、前記第１リード部が更に、カップ部材を有し、該カップ部材の上面に、前記赤色発光ダイオードチップを固着するための平面部が形成されると共に、前記第２リード部が更に、前記赤外線発光ダイオードチップを固着するための平面部を有し、該赤色発光ダイオードチップを固着するための平面部と赤外線発光ダイオードチップを固着するための平面部とが同じ高さに位置することを特徴とする請求項７又は請求項２０に記載の鼻腔用器具、を提供する。
【００３１】
本願の請求項２７の考案は、前記２つの管状部材を備え、前記発光加熱器は発光ダイオードであり、前記発光部材の赤色発光ダイオードチップは、コントローラに制御されるものであり、一方、前記加熱部材は、コントローラに制御される赤外線発光ダイオードチップであり、
前記管状部材の内部に設けられ、発光ダイオードを支持するための支持チューブと、
前記発光ダイオードに設けられ、赤色発光ダイオードチップを設置するための第１リード部と、
前記第１リード部から所定の間隙をおいて形成され、前記赤外線発光ダイオードチップを設置するための第２リード部と、
前記赤色発光ダイオードと赤外線発光ダイオードとを電気接続するワイヤとを有することを特徴とする請求項１に記載の鼻腔用器具、を提供する。
【００３２】
本願の請求項２８の考案は、さらに、前記２つの管状部材に着脱可能に取り付けられ、鼻腔に挿入した２つの管状部材が鼻中隔を挟むことにより、該２つの管状部材を鼻腔に固定させる固定部材を備えることを特徴とする請求項２７に記載の鼻腔用器具、を提供する。
【００３３】
本願の請求項２９の考案は、前記固定部材が夫々管状部材に嵌設される２つの固定スリーブと、該２つの固定スリーブを連結するための連結部材とを備えることを特徴とする請求項２８に記載の鼻腔用器具、を提供する。
【００３４】
本願の請求項３０の考案は、前記２つの固定スリーブは、管状部材の先端が互いに接近するように傾斜する形状であることを特徴とする請求項２９に記載の鼻腔用器具、を提供する。
【００３５】
本願の請求項３１の考案は、前記２つの固定スリーブは、管状部材を互いに平行にする形状であることを特徴とする請求項２９に記載の鼻腔用器具、を提供する。
【考案の効果】
【００３６】
本考案は上記の課題を解決するものであり、管状部材の先端を細くし、赤色発光ダイオードと赤外線発光ダイオードを１つの発光ダイオードに設置することにより、該管状部材全体を細長い形状にし、鼻腔に挿入し易くすると共に、例えば前記管状部材を加熱する加熱部材を設置することにより、鼻腔への不快感を伴なう刺激を防ぐことができる。
【考案を実施するための最良の形態】
【００３７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００３８】
図１は本考案に係る鼻腔用器具の第１実施例の斜視図であり、図２は本考案に係る鼻腔用器具の第１実施例の使用状態を示す部分正面透視図であり、図３は本考案に係る鼻腔用器具の第２実施例の斜面図であり、図４は本考案に係る鼻腔用器具の第２実施例の部分側面図であり、図５は本考案に係る鼻腔用器具の第２実施例の発光ダイオードを示す部分正面断面図であり、図６は本考案に係る鼻腔用器具の第２実施例の使用状態を示す部分正面図であり、図７は本考案に係る鼻腔用器具の第３実施例の部分斜視図であり、図８は本考案に係る鼻腔用器具の第３実施例の部分正面断面図であり、図９は本考案に係る鼻腔用器具の第３実施例の部分正面断面図であり、図１０は本考案に係る鼻腔用器具の第３実施例の斜視図であり、図１１は本考案に係る鼻腔用器具の第３実施例の使用状態を示す部分正面図であり、図１２は本考案に係る鼻腔用器具の第３実施例における他の実施形態を示す斜視図であり、図１３は本考案に係る鼻腔用器具の第３実施例における他の実施形態の使用状態を示す部分正面図である。
【００３９】
図１及び図２に示すように、本考案に係る鼻腔用器具の第１実施例は、鼻腔（３０）に挿入可能な、少なくとも１つの管状部材（４１０）と、
前記各管状部材（４１０）の内部に設けられ、少なくとも１つの赤色発光ダイオードチップを有する発光部材（４２０）と、該管状部材（４１０）を加熱するための加熱部材（４３０）を有する発光加熱器と、
制御スイッチと、前記発光加熱器に給電する、例えばバッテリーなどの電源部材を有するコントローラ（４４０）とを備え、
前記管状部材（４１０）は、鼻腔に挿入し易い小径の先端と、前記発光加熱器を収容するための大径の末端とを有する。
【００４０】
前記加熱部材（４３０）は、少なくとも１つの赤色発光ダイオードチップを有する赤外線発光ダイオードである。
【００４１】
本実施例においては、１つの管状部材（４１０）を設け、所定時間ごとに交互に左右の鼻腔（３０）に挿入して使用する実施形態であっても構わないが、２つの管状部材（４１０）を設けて、同時に左右の鼻腔（３０）に挿入して使用する実施形態である方がより好ましい。
【００４２】
更に、図中に示すように、前記２つの管状部材（４１０）を使用する場合、それらを連結するために、一方の管状部材（４１０）の外周壁に掛止溝（４１３）が形成され、他方の管状部材（４１０）における、該掛止溝（４１３）と対応する位置に、掛止ブロック（４１４）が設けられる。
【００４３】
一方、使用時には、前記加熱部材（４３０）が管状部材（４１０）を加熱し、管状部材（４１０）の表面温度を直ちに常温から人体の体温近くまで上げるので、鼻腔へ刺激を与えることはないと共に、該先細である管状部材（４１０）の構造により、使用時における快適感を向上させるので、鼻炎治療に有効である。
【００４４】
図３乃至図６に示すように、本考案の第２実施例は、前記第１実施例と同様に、鼻腔（３０）に挿入可能な、例えばガラスやアクリル樹脂などの透明材料からなる、少なくとも１つの管状部材（２２）と、
前記各管状部材（２２）の内部に設けられ、少なくとも１つの赤色発光ダイオードチップ（２２４ａ）を有する発光部材と、該管状部材（２２）を加熱するための加熱部材を有する発光加熱器と、
制御スイッチと前記発光加熱器に給電する電源部材を備えるコントローラ（１２）とを有するが、
前記発光加熱器が発光ダイオード（２２４）であり、前記発光部材である赤色発光ダイオードチップ（２２４ａ）が管状部材（２２）の中心軸（Ｃ１）上に位置すると共に、前記コントローラ（１２）により制御され、前記加熱部材が該コントローラ（１２）により制御される赤外線発光ダイオードチップ（２２４ｂ）であり、該赤外線発光ダイオードチップ（２２４ｂ）が中心軸（Ｃ１）から離れた、管状部材（２２）の内周壁の近傍における、管状部材（２２）の加熱に最適な位置に設けられる点において異なる。
【００４５】
尚、本実施例においては、１つの管状部材（２２）を設け、所定時間ごとに交互に左右の鼻腔（３０）に挿入して使用する実施形態であっても構わないが、２つの管状部材（２２）を設けて、同時に左右の鼻腔（３０）に挿入して使用する実施形態である方がより好ましい。
【００４６】
更に、図中に示すように、前記２つの管状部材（２２）の末端付近においては、該２つの管状部材（２２）に着脱可能に取り付けられ、鼻腔（３０）に挿入した該２つの管状部材（２２）が鼻中隔（図示せず）を挟むことにより、該２つの管状部材（２２）を鼻腔（３０）に固定させる固定部材（２６）が設けられるが、該固定部材（２６）は例えば、２つの管状部材（２２）の先端が互いに接近するように傾斜する形状であってもよい。
【００４７】
又、前記コントローラ（１２）は更に、発光ダイオード（２２４）への給電と制御を行うためのリード線（１６）を有してもよく、該リード線（１６）は、コントローラ（１２）と発光ダイオード（２２４）とを電気接続するものであるので、コントローラ（１２）のスイッチ（１４）を切り換えることにより、発光ダイオード（２２４）の発光部材と加熱部材の操作を行うことができる。
【００４８】
更に、前記管状部材（２２）の内部には、発光ダイオード（２２４）を支持するための、例えば不透明な材料からなる支持チューブ（２２２）が設けられ、該支持チューブ（２２２）の内部にはリード線（１６）が貫通する。
【００４９】
また、前記本実施例においては、発光ダイオード（２２４）が支持チューブ（２２２）の先端に固着されると共に、該支持チューブ（２２２）の末端に、前記管状部材（２２）に嵌め込まれる大径の底部（２２６）が設けられる。
【００５０】
そして、本実施例における前記発光ダイオード（２２４）は、赤色発光ダイオードチップ（２２４ａ）と、赤外線発光ダイオードチップ（２２４ｂ）とを備え、その内、赤色発光ダイオードチップ（２２４ａ）は、鼻炎治療に好適なノンコヒーレント（non-coherent）ナローバンド赤色光線を放射し、一方、該赤外線発光ダイオードチップ（２２４ｂ）は、管状部材（２２）を加熱するのに好適なノンコヒーレントナローバンド赤外線を放射する。
【００５１】
更に、本実施例においては、前記赤色発光ダイオードチップ（２２４ａ）と赤外線発光ダイオードチップ（２２４ｂ）が夫々、前記管状部材（２２）の中心軸（Ｃ１）と直角となるように位置し、該赤外線発光ダイオードチップ（２２４ｂ）が設置される高さと、前記赤色発光ダイオードチップ（２２４ａ）の設置される高さとは異なる実施形態が特に好ましい。
【００５２】
前記赤色発光ダイオードチップ（２２４ａ）が放射する鼻炎治療に好適なノンコヒーレントナローバンド赤色光線の波長は、例えば６３０〜６６０ナノメートルであり、特に６５２ナノメートルであることが好ましく、一方、赤外線発光ダイオードチップ（２２４ｂ）が放射する管状部材（２２）を加熱するのに好適なノンコヒーレントナローバンド赤外線の波長は、９２０〜９６０ナノメートルであり、特に９４０ナノメートルであることが好ましい。
【００５３】
又、本実施例の実施形態においては、前記発光ダイオード（２２４）に、更に赤色発光ダイオードチップ（２２４ａ）を設置するための第１リード部（２２５）と、
前記第１リード部（２２５）から所定の間隙をおいて形成されると共に、赤外線発光ダイオードチップ（２２４ｂ）を設置するための第２リード部（２２３）とが設けられている。
【００５４】
前記第１リード部（２２５）はさらに、赤色発光ダイオードチップ（２２４ａ）を収容するカップ部材（２２５ａ）を有すると共に、前記第２リード部（２２３）は更に、赤外線発光ダイオードチップ（２２４ｂ）を設置するための平面部を有し、該平面部は、カップ部材（２２５ａ）より高く位置することが好ましい。
【００５５】
尚、前記発光ダイオード（２２４）に埋め込まれた第１リード部（２２５）のカップ部材（２２５ａ）の上面に、赤色発光ダイオード（２２４ａ）を固着するための平面部を形成し、その平面部と、前記赤外線発光ダイオードチップ（２２４ｂ）を固着するための平面部とを同じ高さにしても良い。
【００５６】
これにより、前記赤色発光ダイオードチップ（２２４ａ）と赤外線発光ダイオードチップ（２２４ｂ）を内蔵する発光ダイオード（２２４）を小型化にして、前記管状部材（２２）を全体的に細長い形状にすることができるので、前記管状部材（２２）の鼻腔への挿入が極めて容易になる。
【００５７】
更に、前記赤色発光ダイオード（２２４ａ）及び赤外線発光ダイオードチップ（２２４ｂ）を夫々、前記第１リード部（２２５）及び第２リード部（２２３）上に設置するための面積を斟酌すれば、細いリードで前記第１リード部（２２５）及び第２リード部（２２３）を支持するように、本実施例の他の実施形態として、前記第１リード部（２２５）及び第２リード部（２２３）は夫々カップ部材（２２５ａ）を有していない細いリードからなるものであっても良い。
【００５８】
これにより、前記第１リード部（２２５）と第２リード部（２２３）との間隙をさらに狭くすることができることから、前記赤色発光ダイオードチップ（２２４ａ）と赤外線発光ダイオードチップ（２２４ｂ）とを前記発光ダイオード（２２４）に内蔵しても、発光ダイオード（２２４）のサイズを大きくする必要はないので、小型化を達成でき、管状部材（２２）の鼻腔への挿入を容易にすることができる。
【００５９】
それに対して、図７乃至図１１に示す本考案の第３実施例は、前記第２実施例と同様、鼻腔（３０）に挿入可能な、少なくとも１つの管状部材（５２２）と、
前記各管状部材（５２２）の内部に設けられ、少なくとも１つの赤色発光ダイオードチップ（６２４ａ）を有する発光部材と、管状部材（５２２）を加熱するための加熱部材を有する発光ダイオード（６２４）である発光加熱器と、
前記管状部材（５２２）の内部に設けられると共に、発光ダイオード（６２４）を支持するための支持チューブ（６２２）と、
前記発光ダイオード（６２４）に設けられると共に、赤色発光ダイオードチップ（６２４ａ）を支持する第１リード部（６２５）と、
前記第１リード部（６２５）から所定の間隙をおいて形成されると共に、赤外線発光ダイオードチップ（６２４ｂ）を設置するための第２リード部（６２３）と、
制御スイッチと、前記発光加熱器に給電する、例えばバッテリーなどの電源部材とを有し、前記発光部材の赤色発光ダイオードチップ（６２４ａ）と、前記加熱部材の赤外線発光ダイオードチップ（６２４ｂ）とを制御するコントローラ（４０）とを備えるが、
前記赤色発光ダイオード（６２４ａ）と赤外線発光ダイオード（６２４ｂ）とを電気接続するワイヤ（６２４ｃ）を有する点において異なる。
【００６０】
本実施例にはさらに、前記２つの管状部材（５２２）に夫々着脱可能に取り付けられ、鼻腔（３０）に挿入した該２つの管状部材（５２２）が鼻中隔（図示せず）を挟むことにより、該２つの管状部材（５２２）を鼻腔（３０）に固定させる固定部材（５６）が設けられ、該固定部材（５６）は夫々管状部材（５２２）に嵌設される２つの固定スリーブ（５６２）と、該２つの固定スリーブ（５６２）を連結するための連結部材（５６１）とを備え、特に該２つの固定スリーブ（５６２）は、管状部材（５２２）の先端が互いに近寄るように傾斜させる形状であることが好ましいが、図１２及び図１３の本実施例の他の実施形態に示すように、固定部材（５７）の連結部材（５７１）の両側に設けられた２つの固定スリーブ（５７２）が互いに平行するものであっても構わない。
【産業上の利用可能性】
【００６１】
本考案は上記の構成を有するので、発光加熱器において、鼻腔において発光する発光部材と、管状部材を加熱するための加熱部材との配置を工夫して、管状部材を先細とし、または管状部材全体を細長い形状にして、管状部材を鼻腔に挿入し易くすることにより、使用上の利便性を高めると共に、加熱部材を、管状部材を加熱するのに最適な位置に配置させることから、効率よく管状部材を加熱して、鼻腔への不快感を伴なう刺激を防ぐことができるので、鼻炎治療に寄与することができる。
【図面の簡単な説明】
【００６２】
【図１】本考案に係る鼻腔用器具の第１実施例の斜視図である。
【図２】本考案に係る鼻腔用器具の第１実施例の使用状態を示す部分正面透視図である。
【図３】本考案に係る鼻腔用器具の第２実施例の斜面図である。
【図４】本考案に係る鼻腔用器具の第２実施例の部分側面図である。
【図５】本考案に係る鼻腔用器具の第２実施例の発光ダイオードを示す部分正面断面図である。
【図６】本考案に係る鼻腔用器具の第２実施例の使用状態を示す部分正面図である。
【図７】本考案に係る鼻腔用器具の第３実施例の部分斜視図である。
【図８】本考案に係る鼻腔用器具の第３実施例の部分正面断面図である。
【図９】本考案に係る鼻腔用器具の第３実施例の部分正面断面図である。
【図１０】本考案に係る鼻腔用器具の第３実施例の斜視図である。
【図１１】本考案に係る鼻腔用器具の第３実施例の使用状態を示す部分正面図である。
【図１２】本考案に係る鼻腔用器具の第３実施例における他の実施形態を示す斜視図である。
【図１３】本考案に係る鼻腔用器具の第３実施例における他の実施形態の使用状態を示す部分正面図である。
【符号の説明】
【００６３】
１２  コントローラ
１６  リード線
２２  管状部材
２２２  支持チューブ
２２３  第２リード部
２２４  発光ダイオード
２２４ａ  赤色発光ダイオードチップ
２２４ｂ  赤外線発光ダイオードチップ
２２５  第１リード部
２２５ａ  カップ部材
２２６  底部
２６  固定部材
３０  鼻腔
４０  コントローラ
４１０  管状部材
４１３  掛止溝
４１４  掛止ブロック
４２０  発光部材
４３０  加熱部材
４４０  コントローラ
５２２  管状部材
５６  固定部材
５６１  連結部材
５６２  固定スリーブ
５７  固定部材
５７１  連結部材
５７２  固定スリーブ
６２２  支持チューブ
６２３  第２リード部
６２４ｃ  ワイヤ
６２４  発光ダイオード
６２４ａ  赤色発光ダイオードチップ
６２４ｂ  赤外線発光ダイオードチップ
６２５  第１リード部
Ｃ１  中心軸
【図１】
0003138513.tif 000003
【図２】
0003138513.tif 000004
【図３】
0003138513.tif 000005
【図４】
0003138513.tif 000006
【図５】
0003138513.tif 000007
【図６】
0003138513.tif 000008
【図７】
0003138513.tif 000009
【図８】
0003138513.tif 000010
【図９】
0003138513.tif 000011
【図１０】
0003138513.tif 000012
【図１１】
0003138513.tif 000013
【図１２】
0003138513.tif 000014
【図１３】
0003138513.tif 000015